(57)【要約】      （修正有）【課題】非常に小さい骨縫合糸内に進入して片側や両側研磨・研削を行って露出面積を拡大可能な超音波骨メスのナイフヘッドを提供する。【解決手段】ナイフヘッド頭部１、ナイフロッド２及びナイフテール３を備え、ナイフロッド２の一方端はナイフヘッド頭部１に接続され、ナイフロッド２の他方端はナイフテール３に接続され、ナイフテール３は超音波変換器を介して超音波装置本体に接続され、ナイフヘッド頭部１は扁平状構造をなし、扁平状構造の先端面が平滑円弧面構造をなし、扁平状構造の上面或いは上下面にローレット１１が設けられ、ローレット１１は扁平状構造の先端からナイフロッド２へ延在し、扁平状構造を覆うことで平面やすり状ナイフヘッドを形成する。【選択図】図２
0003222598.tif 000002
【実用新案登録請求の範囲】
【請求項１】
ナイフヘッド頭部と、ナイフロッドと、ナイフテールとを備え、前記ナイフロッドの一方端が前記ナイフヘッド頭部に接続され、前記ナイフロッドの他方端が前記ナイフテールに接続されている超音波骨メスのナイフヘッドであって、
前記ナイフヘッド頭部は、扁平状構造をなし、前記扁平状構造の先端面が平滑円弧面構造をなし、前記扁平状構造の上面或いは上下面にローレットが設けられ、前記ローレットは、前記扁平状構造の先端から前記ナイフロッドへ延在し、前記扁平状構造を覆うことで平面やすり状ナイフヘッドを形成することを特徴とする超音波骨メスのナイフヘッド。
【請求項２】
前記扁平状構造の上下面の何れにもローレットが設けられるとき、前記扁平状構造の上面と下面とのローレットは、異なる歯形を有し、または、
同じ歯形を有するが、異なる深度及び異なるピッチを有することを特徴とする請求項１に記載の超音波骨メスのナイフヘッド。
【請求項３】
前記扁平状構造の上面と下面との両者は、互いに平行となるように設けられ、または、上面と下面との両者は、前記扁平状構造が薄い方の先端部からナイフロッドへ向かうにつれて厚くなるように、夾角をなして互いに傾斜することを特徴とする請求項１または２に記載の超音波骨メスのナイフヘッド。
【請求項４】
前記扁平状構造は、楕円形扁平状構造或いは矩形扁平状構造であり、前記楕円形扁平状構造の側面は、平滑円弧面構造をなすことを特徴とする請求項３に記載の超音波骨メスのナイフヘッド。
【請求項５】
前記ナイフヘッド頭部の扁平状構造の上面と前記ナイフロッドとの円滑移行には、曲面が用いられることを特徴とする請求項１、２または４に記載の超音波骨メスのナイフヘッド。
【請求項６】
前記ナイフヘッド頭部は、細柱状接続部を介して前記ナイフロッドに接続され、前記細柱状接続部の外径は、前記ナイフロッドの外径より小さいことを特徴とする請求項１、２または４に記載の超音波骨メスのナイフヘッド。
【請求項７】
前記ナイフヘッド頭部の扁平状構造の上面と下面は、それぞれ直平面を介して前記細柱状接続部へ円滑移行し、前記細柱状接続部は、円弧面を介して前記ナイフロッドへ円滑移行するように接続されていることを特徴とする請求項６に記載の超音波骨メスのナイフヘッド。
【請求項８】
前記ナイフロッドは、円弧面を介して前記ナイフテールへ円滑移行するように接続され、前記ナイフテールの他方端には、超音波変換器と接続するための接続ネジが設けられていることを特徴とする請求項１、２、４または７に記載の超音波骨メスのナイフヘッド。
【請求項９】
前記接続ネジは、組込型接続ネジであり、前記ナイフテールの外面には、正六角レンチビットが更に設けられていることを特徴とする請求項８に記載の超音波骨メスのナイフヘッド。
【請求項１０】
前記ナイフヘッド頭部の後部接続端、前記ナイフロッド及び前記ナイフテールは、何れも中空構造をなし、且つ互いに連通し、
前記ナイフヘッド頭部における開口は、１つあり、且つ前記ナイフヘッド頭部の扁平状構造の上面或いは下面の後部に位置し、または、
前記ナイフヘッド頭部における開口は、２つあり、それぞれ前記ナイフヘッド頭部の扁平状構造の上面及び下面の後部に位置することを特徴とする請求項１、２、４、７または９に記載の超音波骨メスのナイフヘッド。
【考案の詳細な説明】
【技術分野】
【０００１】
本考案は、医療器械技術分野に関し、具体的に超音波骨メスのナイフヘッドに関する。
【背景技術】
【０００２】
現代社会では、医療技術の発展につれて、骨科手術が多様化の傾向を表す。それ相応に、手術の実施時に、異なる骨科病状について、異なる形状の手術用のナイフヘッドで患部に対して切断、研削、スクレーピング、クランピング等の操作を行なう必要がある。骨科手術では、超音波骨メスを用いて骨に対して切断、研削、ガウジング、掘り下げまたは任意整形を行うことがよくある。現在の超音波骨メスの研磨・研削用のナイフヘッドは、図１に示すように、球形構造をメインにすることが多い。このような超音波骨メスのナイフヘッドは、一部の研磨・研削需要を満たせるが、腰椎椎間板エンドプレート研磨・研削等の幾つかの場合に、空間が限られたため、骨磨きの作業をうまく完成できなかった。
【考案の概要】
【考案が解決しようとする課題】
【０００３】
上記存在する技術的課題を解決すべく、本考案は、非常に小さい骨縫合系内に進入して片側や両側研磨・研削を行って露出面積を拡大可能な超音波骨メスのナイフヘッドを提供する。
【課題を解決するための手段】
【０００４】
上記存在する技術的問題を解決すべく、本考案の超音波骨メスのナイフヘッドは、ナイフヘッド頭部と、ナイフロッドと、ナイフテールとを備え、前記ナイフロッドの一方端が前記ナイフヘッド頭部に接続され、前記ナイフロッドの他方端が前記ナイフテールに接続され、前記ナイフヘッド頭部は、扁平状構造をなし、前記扁平状構造の先端面が平滑円弧面構造をなし、前記扁平状構造の上面或いは上下面にローレットが設けられ、前記ローレットは、前記扁平状構造の先端から前記ナイフロッドへ延在し、前記扁平状構造を覆うことで平面やすり状ナイフヘッドを形成する。
【０００５】
本考案の超音波骨メスのナイフヘッドにおいて、好ましくは、前記扁平状構造の上下面の何れにもローレットが設けられるとき、前記扁平状構造の上面と下面には、異なる歯形を有するローレットが用いられ、または、同じ歯形を有するが、異なる深度及び異なるピッチを有するローレットが用いられる。
【０００６】
本考案の超音波骨メスのナイフヘッドにおいて、好ましくは、前記扁平状構造の上面と下面との両者は、互いに平行となるように設けられ、または、上面と下面との両者は、前記扁平状構造が薄い方の先端部からナイフロッドへ向かうにつれて厚くなるように、夾角をなして互いに傾斜する。
【０００７】
本考案の超音波骨メスのナイフヘッドにおいて、好ましくは、前記扁平状構造は、楕円形扁平状構造或いは矩形扁平状構造であり、前記楕円形扁平状構造の側面は、平滑円弧面構造をなす。
【０００８】
本考案の超音波骨メスのナイフヘッドにおいて、好ましくは、前記ナイフヘッド頭部の扁平状構造の上面と前記ナイフロッドとの円滑移行には、曲面が用いられる。
【０００９】
本考案の超音波骨メスのナイフヘッドにおいて、好ましくは、前記ナイフヘッド頭部は、細柱状接続部を介して前記ナイフロッドに接続され、前記細柱状接続部の外径は、前記ナイフロッドの外径より小さい。
【００１０】
本考案の超音波骨メスのナイフヘッドにおいて、好ましくは、前記ナイフヘッド頭部の扁平状構造の上面と下面は、それぞれ直平面を介して前記細柱状接続部へ円滑移行し、前記細柱状接続部は、円弧面を介して前記ナイフロッドへ円滑移行するように接続されている。
【００１１】
本考案の超音波骨メスのナイフヘッドにおいて、好ましくは、前記ナイフロッドは、円弧面を介して前記ナイフテールへ円滑移行するように接続され、前記ナイフテールの他方端には、超音波変換器と接続するための接続ネジが設けられている。
【００１２】
本考案の超音波骨メスのナイフヘッドにおいて、好ましくは、前記接続ネジは、組込型接続ネジであり、前記ナイフテールの外面には、正六角レンチビットも設けられている。
【００１３】
本考案の超音波骨メスのナイフヘッドにおいて、好ましくは、当該超音波骨メスのナイフヘッドは、一体型構造または分割型組立構造である。
【００１４】
本考案の超音波骨メスのナイフヘッドにおいて、好ましくは、前記ナイフテールは、超音波変換器を介して超音波装置本体に接続されている。
【００１５】
本考案の超音波骨メスのナイフヘッドにおいて、好ましくは、前記ナイフヘッド頭部の後部接続端、前記ナイフロッド及び前記ナイフテールは、何れも中空構造をなし、且つ互いに連通し、前記ナイフヘッド頭部における開口は、１つあり、且つ前記ナイフヘッド頭部の扁平状構造の上面或いは下面の後部に位置し、または、前記ナイフヘッド頭部における開口は、２つあり、それぞれ前記ナイフヘッド頭部の扁平状構造の上面及び下面の後部に位置する。
【考案の効果】
【００１６】
当該超音波骨メスのナイフヘッドは、以下の有利な作用効果を有する。
（１）本考案は、構造が簡単であり、加工が容易である。
（２）本考案のナイフヘッド頭部の刃先部分に平滑円弧面構造が用いられるため、軟組織に対する刃先の引掻きが回避され、安全性が向上する。
（３）本考案では、平面やすり状ナイフヘッドが用いられ、各種の形態のやすり目が採用可能であり、両面に歯が設けられるとき、両面のやすり目の歯形、またはやすり目の歯丈とやすり目の大きさが異なってもよい。こうして、本考案は、より多くの場合に適用可能であり、使用が便利である。
（４）本考案は、非常に小さい骨縫合系内に進入して片側や両側研磨・研削を行うことができ、ナイフヘッド頭部とナイフロッドとの接続方式により、手術時の視野が広くなる。
（５）本考案の超音波骨メスのナイフヘッドが中空構造をなし、ナイフヘッド頭部における開口がナイフヘッド頭部の扁平状構造の後部に位置するため、注入液がナイフヘッド頭部の後部表面から流れ出ることを確保可能であり、手術時に全ナイフヘッド頭部及び接触した組織をリアルタイムで完全に注入液によって洗浄及び冷却され、切除された骨くずを直ちに排出することが確保され、切口での視野が鮮明且つきれいであり、余剰の保留すべき組織を損傷から保護し、研削操作時に特に明らかである。こうして、手術のリスクが更に低減され、手術の安全性や成功率が高められる。
【図面の簡単な説明】
【００１７】
【図１】従来技術の球形ナイフヘッドの構造模式図である。
【図２】本考案の超音波骨メスのナイフヘッドの第１実施例の斜視模式図である。
【図３】本考案の超音波骨メスのナイフヘッドの第１実施例の正面図である。
【図４】本考案の超音波骨メスのナイフヘッドの第１実施例の底面図である。
【図５】本考案の超音波骨メスのナイフヘッドの第２実施例の斜視模式図である。
【図６】本考案の超音波骨メスのナイフヘッドの第２実施例の正面図である。
【図７】本考案の超音波骨メスのナイフヘッドの第２実施例の平面図である。
【図８】本考案の超音波骨メスのナイフヘッドの第３実施例の斜視模式図である。
【図９】本考案の超音波骨メスのナイフヘッドの第３実施例の正面図である。
【図１０】本考案の超音波骨メスのナイフヘッドの第３実施例の底面図である。
【図１１】本考案の超音波骨メスのナイフヘッドの第３実施例の背面図である。
【図１２】本考案の超音波骨メスのナイフヘッドの第４実施例の斜視模式図である。
【図１３】本考案の超音波骨メスのナイフヘッドの第４実施例の正面図である。
【図１４】本考案の超音波骨メスのナイフヘッドの第４実施例の底面図である。
【図１５】本考案の超音波骨メスのナイフヘッドの第４実施例の背面図である。
【考案を実施するための形態】
【００１８】
以下では、図面を組み合わせて本考案の解決手段を明瞭で完全に記述する。明らかに、記述される実施形態が本考案の一部の実施形態であり、全ての実施形態ではない。本考案における実施形態に基づいて、当業者が進歩性に値する労働をせずに得る全ての他の実施形態は、何れも本考案の保護範囲に含まれる。
【００１９】
本考案の記述において、説明すべきことは、「中心」、「上」、「下」、「左」、「右」、「垂直」、「水平」、「内」、「外」等の方位や位置関係を指示する用語が図面に示す方位や位置関係に基づくものであり、単に本考案の説明の容易化及び記述の簡素化のためのものであり、かかる装置や素子が必ず特定の方位を有することや、特定の方位で構造や操作を形成することをあえて指示やヒントするものではない。したがって、それらは、本考案に対する制限として理解され得ない。また、用語「第１」、「第２」、「第３」は、単に記述の目的であり、相対的な重要性を指示やヒントするものとして理解され得ない。
【００２０】
本考案の記述において、説明すべきことは、明確な規定と限定が別途存在しない限り、用語「取り付け」、「連結」、「接続」は、広義で解釈されるべきである。例えば、固定接続、取り外し可能な接続或いは一体化接続であってもよいし、機械接続或いは電気接続であってもよいし、直接連結、中間媒体を介する間接連結、或いは２つの素子内部の連通であってもよい。当業者であれば、具体的な状況に応じて上記用語の本考案での具体的な意味を理解できる。
【００２１】
以下では、図面を組み合わせて具体的な実施例により本考案を更に詳細に記述する。図２は、本考案の超音波骨メスのナイフヘッドの第１実施例の斜視模式図であり、図３は、本考案の超音波骨メスのナイフヘッドの第１実施例の正面図であり、図４は、本考案の超音波骨メスのナイフヘッドの第１実施例の底面図である。図２〜図４に示すように、本考案の第１実施例の超音波骨メスのナイフヘッドは、ナイフヘッド頭部１、ナイフロッド２及びナイフテール３を備える。ナイフロッド２の一方端は、ナイフヘッド頭部１に接続され、ナイフロッド２の他方端は、ナイフテール３に接続され、ナイフテール３は、超音波変換器を介して特定の超音波装置本体に接続されている。
【００２２】
図２〜図４に示すように、ナイフヘッド頭部１は、扁平状構造をなし、本考案の第１実施例の超音波骨メスのナイフヘッドでは、ナイフヘッド頭部１が矩形の扁平状構造をなす。扁平状構造の先端面、即ち、刃先部分は、円弧面構造１２であり、円弧面構造１２は、平滑面として加工されて軟組織への引掻きを回避する。扁平状構造の上面或いは上下面には、ローレット１１が設けられ、ローレット１１は、扁平状構造の先端からナイフロッド方向へ延在し、扁平状構造を覆って平面やすり状ナイフヘッドを形成する。ローレットであるやすり目は、単歯、両歯、または常用やすり目の歯形であってもよい。当該平面やすり状ナイフヘッドの両面にローレットによって歯が開設されるとき、両面のやすり目の歯形は、異なってもよい。または、歯形が同じであるが、やすり目の歯丈及びやすり目の大きさが異なってもよい。これは、より多くの場合に適用可能である。扁平状構造の上面と下面との両者は、互いに平行となってもよく、一定のテーパの夾角を有してもよい。扁平状構造の上面と下面との両者が一定のテーパ夾角を有するとき、扁平状構造の先端部が薄く、ナイフロッド方向へ延在して徐々に厚くなることを呈する。これにより、前薄後厚の「ナイフ刃」構造が形成され、非常に小さい骨縫合系内に進入可能であり、研磨・研削操作を行うことが便利である。ナイフロッド２は、円弧面を介してナイフテール３へ移行して接続されている。ナイフテール３の他方端には、超音波変換器と接続するための接続ネジ３１が設けられている。本実施例では、接続ネジ３１は、組込型接続ネジとして設計され、ナイフテール３の外面にも、締め付け操作を便利にするための正六角レンチビット３２が更に設けられている。ナイフヘッド頭部１とナイフロッド２とは、一体型構造であってもよく、分割型組立構造であってもよい。本実施例では、ナイフヘッド頭部１とナイフロッド２とは、一体型構造であり、扁平状構造の上面とナイフロッド２との円滑移行には、曲面が用いられる。ナイフロッド２とナイフテール３とは、一体型構造であってもよく、分割型組立構造であってもよい。本実施例では、ナイフロッド２とナイフテール３とは、一体型構造であり、円柱形の階段状ロッドによって加工されてなる。
【００２３】
本考案の超音波骨メスのナイフヘッドは、作業時に、当該ナイフヘッドをそのナイフテール３の接続ネジ３１を介して特定の超音波変換器に接続し、対応するレンチで締め付けてから、超音波変換器を特定の超音波装置本体に接続する。これで、作業可能である。
【００２４】
図５から図７は、本考案の超音波骨メスのナイフヘッドの第２実施例を示す。図５は、本考案の超音波骨メスのナイフヘッドの第２実施例の斜視模式図であり、図６は、本考案の超音波骨メスのナイフヘッドの第２実施例の正面図であり、図７は、本考案の超音波骨メスのナイフヘッドの第２実施例の平面図である。図５〜図７に示すように、本考案の第２実施例の超音波骨メスのナイフヘッドでは、ナイフヘッド頭部１が楕円形の扁平状構造であり、楕円形扁平状構造の側面が平滑円弧面構造１２として加工されて軟組織への側面エッジの引掻きを回避させる。ナイフヘッド頭部１が細柱状接続部４を介してナイフロッド２に接続され、細柱状接続部４の外径がナイフロッド２の外径より小さい。このような形状は、手術時の視野に一層有利である。楕円形扁平状構造の上下面が直平面を介して細柱状接続部４へ円滑移行することで、ナイフヘッド頭部の活用に支障をきたさないことに寄与し、細柱状接続部４は、円弧面を介してナイフロッド２へ移行して接続されている。細柱状接続部４とナイフロッド２とは、一体型構造であってもよく、分割型組立構造であってもよい。本実施例では、細柱状接続部４とナイフロッド２とは、一体型構造であり、円柱形の階段状ロッドによって加工されてなる。
【００２５】
図８から図１１は、本考案の超音波骨メスのナイフヘッドの第２実施例を示す。図８は、本考案の超音波骨メスのナイフヘッドの第３実施例の斜視模式図であり、図９は、本考案の超音波骨メスのナイフヘッドの第３実施例の正面図であり、図１０は、本考案の超音波骨メスのナイフヘッドの第３実施例の底面図であり、図１１は、本考案の超音波骨メスのナイフヘッドの第３実施例の背面図である。図８〜図１１に示すように、本考案の第３実施例の超音波骨メスのナイフヘッドは、本考案の第１実施例の超音波骨メスのナイフヘッドとほぼ一致し、相違点は、ナイフヘッド頭部１の扁平状構造の後部接続端、ナイフロッド２及びナイフテール３が何れも中空構造をなし、互いに連通し、ナイフヘッド頭部１における開口５が扁平状構造の上面後部に位置して、切除された骨くずを直ちに排出することを確保可能にすることにある。注入液が用いられるとき、注入液がナイフヘッド頭部１の後部表面から流れ出ることを確保可能であり、手術時に、全ナイフヘッド頭部１及び接触した組織をリアルタイムで完全に注入液によって洗浄及び冷却され、切除された骨くずを直ちに排出することが確保され、切口での視野が鮮明且つきれいであり、余剰の保留すべき組織を損傷から保護し、研削操作時に特に明らかである。こうして、手術のリスクが更に低減され、手術の安全性や成功率が高められる。
【００２６】
図１２から図１５は、本考案の超音波骨メスのナイフヘッドの第４実施例を示す。図１２は、本考案の超音波骨メスのナイフヘッドの第４実施例の斜視模式図であり、図１３は、本考案の超音波骨メスのナイフヘッドの第４実施例の正面図であり、図１４は、本考案の超音波骨メスのナイフヘッドの第４実施例の底面図であり、図１５は、本考案の超音波骨メスのナイフヘッドの第４実施例の背面図である。図１２から図１５に示すように、本考案の第４実施例の超音波骨メスのナイフヘッドは、本考案の第１実施例の超音波骨メスのナイフヘッドとほぼ一致し、相違点は、ナイフヘッド頭部１の扁平状構造の後部接続端、ナイフロッド２及びナイフテール３が中空構造をなし、互いに連通し、ナイフヘッド頭部１における開口５が２つあることにある。２つの開口５は、それぞれナイフヘッド頭部１の扁平状構造の上面及び下面の後部に位置する。上下の２箇所の出水開口５があるため、如何なる切除操作があるときにも、切口での視野を鮮明且つきれいに可能し、余剰の保留すべき組織を損傷から保護することに一層有利になる。また、手術時に１箇所の出水口が塞がれたまたは阻止されたときにも、もう１箇所は、液体の充分な流出を保証可能である。更に、２つの開口５の出水により、組織への液体の流出は、より充分になる。したがって、このようなダブル出水開口の設計により、手術のリスクが更に低減され、手術の安全性や成功率が更に高められる。
【００２７】
本考案における超音波骨メスのナイフヘッドは、超音波変換器で発生した全てのエネルギーをナイフヘッド頭部（最も有効な作業部分）に集めることが可能であり、ナイフの先端部分のナイフヘッド頭部に最強のエネルギー出力を有させ、最強の作業効果を達し、本考案の加工を容易にする。また、本考案のナイフヘッド頭部の刃先部分に平滑円弧面構造が用いられるため、軟組織への刃先の引掻きが回避され、安全性が向上する。本考案で用いられる平面やすり状ナイフヘッドは、各種形態のやすり目を採用可能であり、両面に歯が設けられるとき、両面のやすり目の歯丈及びやすり目の大きさが異なってもよい。こうして、本考案は、より多くの場合に適用可能であり、使用が便利である。
【００２８】
最後に説明すべきことは、上記各実施例が単に本考案の解決手段を説明するためのものであり、制限とはならない。上記各実施例を参照して本考案を詳細に説明したが、当業者であれば分かるように、上記各実施例で記載された解決手段を変更し、または一部若しくは全部の構成要件に対して均等物による置換を行うことも可能である。また、これらの変更または置換によるかかる技術案の要旨が本考案の各実施例の解決手段の範囲から逸脱することはない。
【符号の説明】
【００２９】
１  ナイフヘッド頭部
１１  ローレット
１２  円弧面構造
２  ナイフロッド
３  ナイフテール
３１  接続ネジ
３２  レンチビット
４  細柱状接続部
５  開口
【図１】
0003222598.tif 000003
【図２】
0003222598.tif 000004
【図３】
0003222598.tif 000005
【図４】
0003222598.tif 000006
【図５】
0003222598.tif 000007
【図６】
0003222598.tif 000008
【図７】
0003222598.tif 000009
【図８】
0003222598.tif 000010
【図９】
0003222598.tif 000011
【図１０】
0003222598.tif 000012
【図１１】
0003222598.tif 000013
【図１２】
0003222598.tif 000014
【図１３】
0003222598.tif 000015
【図１４】
0003222598.tif 000016
【図１５】
0003222598.tif 000017